(57)【特許請求の範囲】
【請求項１】
固有情報を設定値として記憶する記憶部を備えた電子機器であって、
前記記憶部の固有情報記憶領域に固有情報が記憶されていない状態で、インターフェースを介して固有情報を受信すると、受信した固有情報を前記固有情報記憶領域に前記設定値として書き込んで記憶させる固有情報設定部と、
前記固有情報設定部による固有情報の書き込みに際して第１の認証キーを生成させ、生成した前記第１の認証キーを前記記憶部の認証キー記憶領域に書き込んで記憶させる認証キー生成部とを具備し、
前記固有情報設定部は、前記固有情報記憶領域に固有情報が記憶されている状態で、新固有情報と第２の認証キーとを含む固有情報書き込み指示を前記インターフェース経由で受信すると、前記第１の認証キーと前記第２の認証キーとが一致していることを条件に、前記固有情報書き込み指示の新固有情報を前記固有情報記憶領域に書き込んで前記設定値を再設定させ、
前記認証キー生成部は、前記固有情報設定部による新固有情報の書き込みに際して第３の認証キーを生成させ、生成した前記第３の認証キーを前記認証キー記憶領域に書き込んで前記第１の認証キーを更新させることを特徴とする電子機器。
【請求項２】
前記記憶部には、前記認証キー生成部によって生成された前記第１の認証キー又は前記第３の認証キーが出力用データとして記憶される出力用認証キー記憶領域が設定されており、
前記固有情報設定部は、認証キー出力指示を前記インターフェース経由で受信すると、前記出力用認証キー記憶領域に記憶されている前記出力用データを前記インターフェース経由で出力すると共に、前記出力用認証キー記憶領域に記憶されている前記出力用データを消去することを特徴とする請求項１記載の電子機器。
【請求項３】
前記設定値として記憶する固有情報は、シリアル番号であることを特徴とする請求項１又は２記載の電子機器。
【請求項４】
電子機器の記憶部に設定値として記憶されている固有情報を再設定する固有情報再設定方法であって、
前記電子機器の制御部は、
前記記憶部の固有情報記憶領域に固有情報が記憶されていない状態で、インターフェースを介して固有情報を受信すると、前記記憶部の固有情報記憶領域に前記設定値として書き込んで記憶し、
固有情報の書き込みに際して第１の認証キーを生成し、生成した前記第１の認証キーを前記記憶部の認証キー記憶領域に書き込んで記憶し、
前記固有情報記憶領域に固有情報が記憶されている状態で、新固有情報と第２の認証キーとを含む固有情報書き込み指示を前記インターフェース経由で受信すると、前記第１の認証キーと前記第２の認証キーとが一致していることを条件に、前記固有情報書き込み指示の新固有情報を前記固有情報記憶領域に書き込んで前記設定値を再設定すると共に、新固有情報の書き込みに際して第３の認証キーを生成し、生成した前記第３の認証キーを前記認証キー記憶領域に書き込んで前記第１の認証キーを更新することを特徴とする固有情報再設定方法。
【請求項５】
記憶部の固有情報記憶領域に第１の固有情報が設定値として記憶されている電子機器によって実行される固有情報書き換えプログラムであって、
前記第１の固有情報と、前記第１の固有情報とは異なる前記電子機器の第２の固有情報とが照合用データとして組み込まれていると共に、前記電子機器に新たな前記設定値として記憶させる第３の固有情報が書き換え用データとして組み込まれており、
前記電子機器の制御部を、
前記電子機器の前記第１の固有情報及び前記第２の固有情報と、前記照合用データとして組み込まれた前記第１の固有情報及び前記第２の固有情報とが一致していることを条件に、前記書き換え用データとして組み込まれた前記第３の固有情報を前記固有情報記憶領域に書き込んで前記設定値を再設定する固有情報書き換え部として機能させることを特徴とする固有情報書き換えプログラム。
【発明の詳細な説明】
【技術分野】
【０００１】
本発明は、固有情報が付与されている電子機器に関する。
【背景技術】
【０００２】
画像形成装置（複写機、プリンタ、ファックス、スキャナー、ＭＦＰ）等の電子機器には、シリアル番号に代表されるような固有の固有情報が設定されている。固有情報は、装置の組立時等に記憶手段に書き込まれ、複製が作成されないように、一度書き込みを実施した後は変更できないような仕組みが搭載されている（例えば、特許文献１参照）。
【０００３】
しかし、製造現場や販社では不良マシンのリワーク等の場面で固有情報の書き換えを必要とする場面がある。そのため、実際には、固有情報の再設定を行う再設定方法（特別な手順や手段）が用意されている。
【先行技術文献】
【特許文献】
【０００４】
【特許文献１】特開２０１３−５２５５６号公報
【発明の概要】
【発明が解決しようとする課題】
【０００５】
しかしながら、再設定方法（特別な手順や手段）が悪意の第三者に漏えいしてしまった場合、固有情報の再設定禁止機能が意味をなさなくなってしまい、漏えいした再設定方法によって固有情報が自由に書き換えられてしまうという問題点があった。
【０００６】
本発明は、かかる点に鑑みてなされたものであり、その目的とするところは、再設定方法が悪意の第三者に漏えいしてしまっても、漏えいした再設定方法による固有情報の書き換えを防止することができる電子機器を提供することにある。
【課題を解決するための手段】
【０００７】
このような課題を解決するために、本発明の電子機器は、固有情報を設定値として記憶する記憶部を備えた電子機器であって、前記記憶部の固有情報記憶領域に固有情報が記憶されていない状態で、インターフェースを介して固有情報を受信すると、受信した固有情報を前記固有情報記憶領域に前記設定値として書き込んで記憶させる固有情報設定部と、前記固有情報設定部による固有情報の書き込みに際して第１の認証キーを生成させ、生成した前記第１の認証キーを前記記憶部の認証キー記憶領域に書き込んで記憶させる認証キー生成部とを具備し、前記固有情報設定部は、前記固有情報記憶領域に固有情報が記憶されている状態で、新固有情報と第２の認証キーとを含む固有情報書き込み指示を前記インターフェース経由で受信すると、前記第１の認証キーと前記第２の認証キーとが一致していることを条件に、前記固有情報書き込み指示の新固有情報を前記固有情報記憶領域に書き込んで前記設定値を再設定させ、前記認証キー生成部は、前記固有情報設定部による新固有情報の書き込みに際して第３の認証キーを生成させ、生成した前記第３の認証キーを前記認証キー記憶領域に書き込んで前記第１の認証キーを更新させることを特徴とする。
さらに、本発明の電子機器において、前記記憶部には、前記認証キー生成部によって生成された前記第１の認証キー又は前記第３の認証キーが出力用データとして記憶される出力用認証キー記憶領域が設定されており、前記固有情報設定部は、認証キー出力指示を前記インターフェース経由で受信すると、前記出力用認証キー記憶領域に記憶されている前記出力用データを前記インターフェース経由で出力すると共に、前記出力用認証キー記憶領域に記憶されている前記出力用データを消去しても良い。
さらに、本発明の電子機器において、前記設定値として記憶する固有情報は、シリアル番号であっても良い。
また、本発明の固有情報再設定方法は、電子機器の記憶部に設定値として記憶されている固有情報を再設定する固有情報再設定方法であって、前記電子機器の制御部は、前記記憶部の固有情報記憶領域に固有情報が記憶されていない状態で、インターフェースを介して固有情報を受信すると、前記記憶部の固有情報記憶領域に前記設定値として書き込んで記憶し、固有情報の書き込みに際して第１の認証キーを生成し、生成した前記第１の認証キーを前記記憶部の認証キー記憶領域に書き込んで記憶し、前記固有情報記憶領域に固有情報が記憶されている状態で、新固有情報と第２の認証キーとを含む固有情報書き込み指示を前記インターフェース経由で受信すると、前記第１の認証キーと前記第２の認証キーとが一致していることを条件に、前記固有情報書き込み指示の新固有情報を前記固有情報記憶領域に書き込んで前記設定値を再設定すると共に、新固有情報の書き込みに際して第３の認証キーを生成し、生成した前記第３の認証キーを前記認証キー記憶領域に書き込んで前記第１の認証キーを更新することを特徴とする。
また、本発明の固有情報書き換えプログラムは、記憶部の固有情報記憶領域に第１の固有情報が設定値として記憶されている電子機器によって実行される固有情報書き換えプログラムであって、前記第１の固有情報と、前記第１の固有情報とは異なる前記電子機器の第２の固有情報とが照合用データとして組み込まれていると共に、前記電子機器に新たな前記設定値として記憶させる第３の固有情報が書き換え用データとして組み込まれており、前記電子機器の制御部を、前記電子機器の前記第１の固有情報及び前記第２の固有情報と、前記照合用データとして組み込まれた前記第１の固有情報及び前記第２の固有情報とが一致していることを条件に、前記書き換え用データとして組み込まれた前記第３の固有情報を前記固有情報記憶領域に書き込んで前記設定値を再設定する固有情報書き換え部として機能させることを特徴とする。
【発明の効果】
【０００８】
本発明によれば、認証キー記憶領域に記憶されている認証キーは、固有情報の再設定時に新たな認証キーに更新されるため、固有情報の再設定に一度用いた固有情報書き込み指示が悪意の第三者に漏えいしてしまっても、漏えいした固有情報書き込み指示による固有情報の書き換えを防止することができるという効果を奏する。
【図面の簡単な説明】
【０００９】
【図１】本発明に係る電子機器の第１の実施の形態の内部構成を示す概略模式断面図である。
【図２】図１に示す電子機器の概略構成を示すブロック図である。
【図３】図２に示す制御部によるシリアル番号設定動作を説明するフローチャートである。
【図４】図２に示す制御部によるシリアル番号設定動作を説明する説明図である。
【図５】本発明に係る電子機器の第２の実施の形態の概略構成を示すブロック図である。
【発明を実施するための形態】
【００１０】
次に、本発明の実施の形態を、図面を参照して具体的に説明する。
（第１の実施の形態）
第１の実施の形態の電子機器は、電子写真方式を利用した複写機や複合機等の画像形成装置１であり、図１を参照すると、原稿読み取り部２と、原稿給送部３と、本体部４と、操作部６とを備えている。原稿給送部３は、原稿読み取り部２の上部に配設されていると共に、原稿読み取り部２は、本体部４の上部に配設され、原稿読み取り部２と本体部４との間には、排紙空間４０が形成されている。
【００１１】
操作部６には、タッチパネル６１、操作ボタン６２が設けられている。ユーザーは操作部６を操作して指示を入力することで、画像形成装置１の各種の設定を行い、スキャン動作や画像形成等の各種機能を実行させる。タッチパネル６１は、画像形成装置１の状態を示したり、画像形成状況や印刷部数を表示したり、両面印刷や白黒反転等の機能や倍率設定、濃度設定など各種設定を行えるようになっている。操作ボタン６２としては、スキャン動作や画像形成の開始を指示するスタートボタン、スキャン動作や画像形成の中止を指示するストップボタン、画像形成装置１の各種設定をデフォルト状態にする際に使用するリセットボタン等が設けられている。
【００１２】
原稿読み取り部２は、光源と、主走査方向に配置されたラインセンサーとを備え、ＬＥＤや冷陰極管ランプ等の光源の光を記録媒体である原稿ＭＳの画像面に導くと共に、画像面からの反射光をＣＣＤセンサー等のラインセンサーに導くスキャナー２１と、プラテンガラス２２と、原稿読み取りスリット２３とを備える。スキャナー２１は、モーター２４とプーリー２５との間に架け渡された歯付きベルト２６に固定されており、モーター２４を駆動することで、スキャナー２１がプラテンガラス２２に載置された原稿ＭＳの画像面に沿って移動され、原稿ＭＳの画像面を副走査方向に走査（スキャン）するように構成されている。プラテンガラス２２は、ガラス等の透明部材により構成された原稿台である。原稿読み取りスリット２３は、原稿給送部３による原稿の搬送方向と直交方向に形成されたスリットである。
【００１３】
プラテンガラス２２に載置された原稿ＭＳを読み取る場合には、スキャナー２１をプラテンガラス２２に沿って副走査方向に移動させながら、プラテンガラス２２に載置された原稿ＭＳを主走査方向の１ライン毎に走査することで画像データを取得し、取得した画像データを本体部４に出力する。また、原稿給送部３により搬送された原稿ＭＳを読み取る場合には、スキャナー２１を原稿読み取りスリット２３と対向する位置に移動させ、原稿読み取りスリット２３を介し、原稿給送部３による原稿の搬送動作と同期して原稿ＭＳを読み取って画像データを取得し、取得した画像データを本体部４に出力する。
【００１４】
原稿給送部３は、原稿載置部３１と、原稿排出部３２と、原稿搬送機構３３とを備えている。原稿載置部３１に載置された原稿ＭＳは、原稿搬送機構３３によって、１枚ずつ順に繰り出されて原稿読み取りスリット２３に対向する位置へ搬送され、その後、原稿排出部３２に排出される。なお、原稿給送部３は、可倒式に構成され、プラテンガラス２２上を開閉するプラテンカバーとして機能し、原稿給送部３を上方に持ち上げて開成すると、プラテンガラス２２の上面を開放させることができる。
【００１５】
本体部４は、電子写真プロセスによって記録紙Ｐに記録を施す記録部５を備えると共に、給紙カセット４１と、給紙ローラー４２と、用紙搬送路４３と、搬送ローラー４４、４５と、排出ローラー４６とを備えている。搬送ローラー４４、４５及び排出ローラー４６は、記録紙Ｐを搬送する搬送部４７として機能する。給紙カセット４１に収納された記録紙Ｐは、給紙ローラー４２によって用紙搬送路４３に１枚ずつ繰り出され、搬送ローラー４４によって記録部５に搬送される。そして、記録部５によって記録が施された記録紙Ｐは、搬送ローラー４５及び排出ローラー４６によって排紙空間４０に排出される。
【００１６】
記録部５は、感光体ドラム５１と、帯電器５２と、光走査部５３と、現像部５４と、転写ローラー５５と、定着部５６と、クリーニング部５７とを備えている。記録部５による画像形成は、まず、帯電器５２により感光体ドラム５１の表面を一様に帯電させ、原稿読み取り部２で読み取られ画像データに基づいて、光走査部５３によって感光体ドラム５１の表面を走査することで静電潜像を形成させる。次に、感光体ドラム５１の表面に形成された静電潜像を現像部５４によって現像することでトナー像を形成させる。感光体ドラム５１の表面に形成されたトナー像は、給紙カセット４１から繰り出された記録紙Ｐが、感光体ドラム５１と転写ローラー５５とのニップ部を通過する間に記録紙Ｐに転写される。記録紙Ｐに転写されたトナー像は、定着部５６を通過する間に記録紙Ｐに熱定着される。
【００１７】
図２には、画像形成装置１の概略構成を示すブロック図が示されている。上述の原稿読み取り部２、原稿給送部３、搬送部４７（搬送ローラー４４、４５、排出ローラー４６）、記録部５及び操作部６は、制御部７に接続され、制御部７によって動作制御される。また、制御部７には、画像処理部８及び記憶部９が接続されている。さらに、制御部７は、インターフェース１０を介して、メンテナンス用の端末機器と接続可能に構成されている。インターフェース１０は、画像形成装置１に無線や有線でメンテナンス用の端末機器を接続するためのインターフェースである。
【００１８】
制御部７は、ＲＯＭ（Read Only Memory）７ａ、ＲＡＭ（Random Access Memory）７ｂ等を備えたマイクロコンピューター等の情報処理部である。ＲＯＭ７ａには画像形成装置１の動作制御を行うための制御プログラム７１が記憶されている。制御部７は、ＲＯＭ７ａに記憶されている制御プログラム７１を読み出してＲＡＭ７ｂに展開させて実行することで、操作部６から入力された所定の指示情報等に応じて装置全体の制御を行う。また、制御部７は、制御プログラム７１の実行によって、シリアル番号を画像形成装置１の固有情報として記憶部９に書き込むシリアル番号設定部７２と、記憶部９へのシリアル番号の書き込み時に認証キーを生成する認証キー生成部７３として機能する。
【００１９】
画像処理部８は、画像データに対して所定の画像処理を行う手段であり、例えば、拡大縮小処理や、階調調整、濃度調整等の画像改善処理が行われる。
【００２０】
記憶部９は、半導体メモリーやＨＤＤ（Hard Disk Drive）等の記憶手段であり、原稿読み取り部２によって原稿を読み取ることで取得された画像データが記憶される。記憶部９には、シリアル番号が設定値として記憶されるシリアル番号記憶領域９１と、認証キー生成部７３によって生成された認証キーが照合用データとして記憶される照合用認証キー記憶領域９２と、認証キー生成部７３によって生成された認証キーが出力用データとして記憶される出力用認証キー記憶領域９３とが設定されている。
【００２１】
次に、制御部７によるシリアル番号設定動作について図３及び図４を参照して詳細に説明する。
図３を参照すると、制御部７は、シリアル番号書き込み指示の受信と（ステップＡ１）、認証キー出力指示の受信とを待機している（ステップＡ２）。シリアル番号書き込み指示及び認証キー出力指示は、メンテナンス用の端末機器やネットワークからインターフェース１０を介して制御部７に送信される。
【００２２】
まず、シリアル番号の初回設定時の動作について説明する。シリアル番号の初回設定時は、図４（ａ）に示すように、シリアル番号記憶領域９１、照合用認証キー記憶領域９２及び出力用認証キー記憶領域９３は、ブランク（空欄）である。メンテナンス作業者は、メンテナンス用の端末機器等でシリアル番号のみを含むシリアル番号書き込み指示を生成し、インターフェース１０を介して制御部７に送信する。
【００２３】
制御部７は、ステップＡ１でシリアル番号書き込み指示を受信すると、シリアル番号設定部７２として機能し、シリアル番号記憶領域９１にシリアル番号が設定値として記憶されているか否かを判断する（ステップＡ３）。
【００２４】
シリアル番号記憶領域９１にシリアル番号が記憶されておらず、シリアル番号が未設定（シリアル番号記憶領域９１がブランク）である場合、ステップＡ３でＮｏと判断され、シリアル番号設定部７２は、シリアル番号書き込み指示に含まれるシリアル番号をシリアル番号記憶領域９１に設定値として書き込む（ステップＡ４）。これにより、画像形成装置１に対してシリアル番号が設定される。
【００２５】
次に、ステップＡ４でシリアル番号記憶領域９１へのシリアル番号の書き込みが正常終了すると、制御部７は認証キー生成部７３として機能し、認証キーを生成する（ステップＡ５）。認証キー生成部７３は、擬似乱数等を用いてランダムに認証キーを生成する。認証キー生成部７３は、生成した認証キーを認証用データとして照合用認証キー記憶領域９２に、生成した認証キーを出力用データとして出力用認証キー記憶領域９３とにそれぞれ書き込み（ステップＡ６）、ステップＡ１の処理に戻る。図４（ｂ）には、ステップＡ４で、シリアル番号記憶領域９１にシリアル番号が書き込まれ、且つステップＡ６で、照合用認証キー記憶領域９２と出力用認証キー記憶領域９３とに認証キーがそれぞれ書き込まれた状態が示されている。
【００２６】
次に、シリアル番号の再設定時の動作について説明する。図４（ｂ）に示すように、シリアル番号の再設定、すなわち、シリアル番号記憶領域９１に設定値として記憶されたシリアル番号を書き換えて再設定する場合には、メンテナンス作業者は、メンテナンス用の端末機器等で認証キー出力指示が生成し、インターフェース１０を介して制御部７に送信する。
【００２７】
制御部７は、ステップＡ２で認証キー出力指示を受信すると、シリアル番号設定部７２として機能し、出力用認証キー記憶領域９３に認証キーが出力用データとして記憶されているか否かを判断する（ステップＡ７）。
【００２８】
図４（ｂ）に示すように、出力用認証キー記憶領域９３に認証キーが記憶されている場合、ステップＡ７でＹｅｓと判断され、シリアル番号設定部７２は、図４（ｃ）に示すように、出力用認証キー記憶領域９３に記憶されている認証キーをインターフェース１０経由で出力すると共に（ステップＡ８）、出力用認証キー記憶領域９３に出力用データとして記憶されている認証キーを消去し（ステップＡ９）、ステップＡ１の処理に戻る。また、図４（ｃ）に示すように、出力用データである認証キーが既に出力され、出力用認証キー記憶領域９３がブランクである場合、ステップＡ７でＮｏと判断され、シリアル番号設定部７２は、認証キー出力エラーを通知し（ステップＡ１０）、ステップＡ１の処理に戻る。このように、認証キーの出力に際して、出力用認証キー記憶領域９３から認証キーが消去されるため、認証キー出力指示による認証キーの出力は、１回に限定される。
【００２９】
次に、メンテナンス作業者は、図４（ｄ）に示すように、メンテナンス用の端末機器等で再設定する新たなシリアル番号とステップＡ８で出力された認証キーとを含むシリアル番号書き込み指示を生成し、インターフェース１０を介して制御部７に送信する。
【００３０】
制御部７は、ステップＡ１でシリアル番号書き込み指示を受信すると、シリアル番号設定部７２として機能し、シリアル番号記憶領域９１に設定値としてシリアル番号が記憶されているか否かを判断する（ステップＡ３）。
【００３１】
シリアル番号記憶領域９１にシリアル番号が記憶され、シリアル番号が設定されている場合、ステップＡ３でＹｅｓと判断され、シリアル番号設定部７２は、シリアル番号書き込み指示に含まれる認証キーと、照合用認証キー記憶領域９２に認証用データとして記憶されている認証キーとを照合し（ステップＡ１１）、両者が一致するか否かを判断する（ステップＡ１２）。
【００３２】
シリアル番号書き込み指示に含まれる認証キーと、照合用認証キー記憶領域９２に認証用データとして記憶されている認証キーとを一致する場合には、ステップＡ１２でＹｅｓと判断され、シリアル番号設定部７２は、照合用認証キー記憶領域９２に認証用データとして記憶されている認証キーを消去する（ステップＡ１３）。次に、シリアル番号設定部７２は、ステップＡ４に至って、シリアル番号書き込み指示に含まれる新たなシリアル番号をシリアル番号記憶領域９１に書き込んで設定値を再設定する。これにより、図４（ｅ）に示すように、シリアル番号記憶領域９１に設定値として記憶されていたシリアル番号が新たなシリアル番号に書き換えられ、画像形成装置１に対して新たなシリアル番号が再設定される。
【００３３】
また、ステップＡ４でシリアル番号記憶領域９１への新たなシリアル番号の書き込みが正常終了すると、後続するステップＡ５では、制御部７は認証キー生成部７３として機能して新たな認証キーを生成され、さらに後続するステップＡ６では、生成された新たな認証キーが照合用認証キー記憶領域９２に書き込まれて認証用データが更新されると共に、生成された新たな認証キーが出力用データとして書き込まれる。なお、ステップＡ１３で照合用認証キー記憶領域９２に記憶されている認証キーを消去することなく、後続して実行されるステップＡ６で、生成された新たな認証キーを照合用認証キー記憶領域９２に上書きで書き込んで認証用データが更新するようにしても良い。
【００３４】
シリアル番号書き込み指示に含まれる認証キーと、照合用認証キー記憶領域９２に記憶されている認証キーとを一致しない場合には、ステップＡ１２でＮｏと判断され、シリアル番号設定部７２は、認証キー照合エラーを通知し（ステップＡ１４）、ステップＡ１の処理に戻る。
【００３５】
このように、シリアル番号記憶領域９１にシリアル番号が記憶され、シリアル番号が設定されている場合、シリアル番号設定部７２は、シリアル番号書き込み指示に含まれる認証キーと、照合用認証キー記憶領域９２に記憶されている認証キーとを一致することを条件に、シリアル番号の再設定を実行する。シリアル番号書き込み指示に含まれる認証キーは、認証キー出力指示によって１回限定で出力されたものである。これにより、認証キーの第三者による不正利用を防止することができる。また、照合用認証キー記憶領域９２に記憶されている認証キーは、シリアル番号の再設定時に新たな認証キーに書き換えられる。従って、シリアル番号の再設定に一度用いたシリアル番号書き込み指示は、他の装置や他の機会に用いても、シリアル番号書き込み指示に含まれる認証キーと、照合用認証キー記憶領域９２に記憶されている認証キーとを一致することがなく、シリアル番号の再設定を行うことができない。
【００３６】
以上説明したように、第１の実施の形態によれば、固有情報であるシリアル番号を設定値として記憶する記憶部９を備えた画像形成装置１であって、記憶部９のシリアル番号記憶領域９１にシリアル番号が記憶されていない状態で、インターフェース１０を介してシリアル番号を受信すると、受信したシリアル番号をシリアル番号記憶領域９１に設定値として書き込んで記憶させるシリアル番号設定部７２と、シリアル番号設定部７２によるシリアル番号の書き込みに際して認証キー（第１の認証キー）を生成させ、生成した第１の認証キーを記憶部９の照合用認証キー記憶領域９２に書き込んで記憶させる認証キー生成部７３とを具備し、シリアル番号設定部７２は、シリアル番号記憶領域９１にシリアル番号が記憶されている状態で、新シリアル番号と認証キー（第２の認証キー）とを含むシリアル番号書き込み指示をインターフェース１０経由で受信すると、照合用認証キー記憶領域９２に記憶されている第１の認証キーとシリアル番号書き込み指示の第２の認証キーとが一致していることを条件に、シリアル番号書き込み指示の新シリアル番号をシリアル番号記憶領域９１に書き込んで設定値を再設定させ、認証キー生成部７３は、シリアル番号設定部７２による新シリアル番号の書き込みに際して新認証キー（第３の認証キー）を生成させ、生成した第３の認証キーを照合用認証キー記憶領域９２に書き込んで第１の認証キーを更新させる。
この構成により、照合用認証キー記憶領域９２に記憶されている認証キーは、シリアル番号の再設定時に新たな認証キーに更新されるため、シリアル番号の再設定に一度用いたシリアル番号書き込み指示が悪意の第三者に漏えいしてしまっても、漏えいしたシリアル番号書き込み指示によるシリアル番号の書き換えを防止することができる。
【００３７】
さらに、本実施の形態によれば、記憶部９には、認証キー生成部７３によって生成された認証データ（第１の認証キー又は第３の認証キー）が出力用データとして記憶される出力用認証キー記憶領域９３が設定されており、シリアル番号設定部は、認証キー出力指示をインターフェース１０経由で受信すると、出力用認証キー記憶領域９３に記憶されている出力用データを前記インターフェース１０経由で出力すると共に、出力用認証キー記憶領域９３に記憶されている出力用データを消去する。
この構成により、シリアル番号書き込み指示に含まれる認証キーは、認証キー出力指示によって１回限定で出力されたものであるため、認証キーの第三者による不正利用を防止することができる。
【００３８】
（第２の実施の形態）
第２の実施の形態の画像形成装置１ａでは、シリアル番号記憶領域９１に設定値として記憶されたシリアル番号を、インストールされ、図５に示すように、記憶部９に記憶されたシリアル番号書き換えプログラム９４によって再設定するように構成されている。
【００３９】
シリアル番号書き換えプログラム９４は、照合用データと、書き換え用データとを組み込んで作成されている。照合用データは、シリアル番号記憶領域９１に設定値として記憶されているシリアル番号（以下、旧シリアル番号と称す）と、画像形成装置１ａの旧シリアル番号以外の固有情報であるＭＡＣアドレスとからなる。なお、旧シリアル番号とＭＡＣアドレスとは、画像形成装置１ａから事前に取得する。書き換え用データは、再設定する新たなシリアル番号（以下、新シリアル番号と称す）からなる。
【００４０】
操作部６からの指示等によってインストールされたシリアル番号書き換えプログラム９４が起動されると、制御部７は、シリアル番号書き換えプログラム９４を読み出してＲＡＭ７ｂに展開させて実行することで、シリアル番号書き換え部７４として機能する。シリアル番号書き換え部７４は、シリアル番号記憶領域９１に記憶されている旧シリアル番号と、インターフェース１０に設定されているＭＡＣアドレスとを画像形成装置１ａから読み出し、シリアル番号書き換えプログラム９４に組み込まれている照合用データと照合する。
【００４１】
そして、シリアル番号書き換え部７４は、シリアル番号記憶領域９１に記憶されている旧シリアル番号と、インターフェース１０に設定されているＭＡＣアドレスとが、照合用データと一致していることを条件に、書き換え用データとしてシリアル番号書き換えプログラム９４に組み込まれた新シリアル番号をシリアル番号記憶領域９１に上書きで書き込んで設定値を再設定する。これにより、シリアル番号記憶領域９１に記憶されていた旧シリアル番号が新シリアル番号に書き換えられ、画像形成装置１ａに対して新シリアル番号が再設定される。なお、シリアル番号書き換えプログラム９４は、画像形成装置１ａにインスロールする形態のため、シリアル番号書き換え部７４による記憶部９の直接制御が可能になる。
【００４２】
この構成により、シリアル番号の再設定後は、シリアル番号記憶領域９１に記憶されているシリアル番号（新シリアル番号）と、シリアル番号書き換えプログラム９４に組み込まれたシリアル番号（旧シリアル番号）とが不一致となる。従って、シリアル番号の書き換えに一度使用したシリアル番号書き換えプログラム９４は、同じ画像形成装置１ａでシリアル番号の書き換えを試みても照合処理でＮＧとなり再使用できない。また、シリアル番号書き換えプログラム９４を用いて他の画像形成装置１ａでシリアル番号の書き換えを試みても照合処理でＮＧとなり使用することができない。
【００４３】
以上説明したように、第２の実施の形態によれば、記憶部９のシリアル番号記憶領域９１にシリアル番号が設定値として記憶されている画像形成装置１ａによって実行される固有情報書き換えプログラム９４であって、シリアル番号記憶領域９１に記憶されているシリアル番号と、ＭＡＣアドレスとが照合用データとして組み込まれていると共に、画像形成装置１ａに新たな設定値として記憶させる新シリアル番号が書き換え用データとして組み込まれており、画像形成装置１ａの制御部７を、画像形成装置１ａのシリアル番号及びＭＡＣアドレスと、照合用データとして組み込まれたシリアル番号及びＭＡＣアドレスが一致していることを条件に、書き換え用データとして組み込まれた新シリアル番号をシリアル番号記憶領域９１に書き込んで設定値を再設定する固有情報書き換え部７４として機能させる。
この構成により、固有情報書き換えプログラム９４には、書き換える前のシリアル番号が照合用データとして組み込まれているため、シリアル番号の再設定に一度用いた固有情報書き換えプログラム９４が悪意の第三者に漏えいしてしまっても、漏えいした固有情報書き換えプログラム９４によるシリアル番号の書き換えを防止することができる。
【００４４】
なお、本発明が上記各実施の形態に限定されず、本発明の技術思想の範囲内において、各実施の形態は適宜変更され得ることは明らかである。
【符号の説明】
【００４５】
１、１ａ  画像形成装置
２  原稿読み取り部
３  原稿給送部
４  本体部
５  記録部
６  操作部
７  制御部
７ａ  ＲＯＭ
７ｂ  ＲＡＭ
８  画像処理部
９  記憶部
１０  インターフェース
２１  スキャナー
２２  プラテンガラス
２３  原稿読み取りスリット
２４  モーター
２５  プーリー
２６  歯付きベルト
３１  原稿載置部
３２  原稿排出部
３３  原稿搬送機構
４０  排紙空間
４１  給紙カセット
４２  給紙ローラー
４３  用紙搬送路
４４、４５  搬送ローラー
４６  排出ローラー
４７  搬送部
５１  感光体ドラム
５２  帯電器
５３  光走査部
５４  現像部
５５  転写ローラー
５６  定着部
５７  クリーニング部
６１  タッチパネル
６２  操作ボタン
７１  制御プログラム
７２  シリアル番号設定部
７３  認証キー生成部
７４  シリアル番号書き換え部
９１  シリアル番号記憶領域
９２  照合用認証キー記憶領域
９３  出力用認証キー記憶領域
９４  シリアル番号書き換えプログラム
【図１】
0006414106.tif 000002
【図２】
0006414106.tif 000003
【図３】
0006414106.tif 000004
【図４】
0006414106.tif 000005
【図５】
0006414106.tif 000006